(57)【要約】【課題】プラズマディスプレイ用チューナにおいて、ＰＡＬ／ＳＥＣＡＭ／ＮＴＳＣマルチモードにおける妨害を軽減することを目的とする。【解決手段】ＰＡＬ／ＳＥＣＡＭ／ＮＴＳＣのマルチモード・デジタル・コム・フィルター回路１と信号入力端子との間にフィルター回路を設け、かつそのフィルター回路に、ＰＡＬ／ＮＴＳＣ制御信号によりオンオフするトランジスタ４３、４４と、ＰＡＬ・ＮＴＳＣ／ＳＥＣＡＭ制御信号によりオンオフするトランジスタ４５、４６、４７、４８とを設け、前記トランジスタ４３〜４８をオンオフすることにより、フィルター回路がＰＡＬ、ＳＥＣＡＭ及びＮＴＳＣのサブキャリア周波数に同調設定されるように切り替えるもので、信号入力妨害及び高調波妨害を軽減することができる。【選択図】　図１
2004129147.tif 000002
【特許請求の範囲】
【請求項１】
ＰＡＬ／ＳＥＣＡＭ／ＮＴＳＣのマルチモード・デジタル・コム・フィルター回路と信号入力端子との間にフィルター回路を設け、かつそのフィルター回路に、ＰＡＬ／ＮＴＳＣ制御信号によりオンオフする第１のスイッチング素子とＰＡＬ・ＮＴＳＣ／ＳＥＣＡＭ制御信号によりオンオフする第２のスイッチング素子とを設け、前記第１、第２のスイッチング素子をオンオフすることにより、フィルター回路がＰＡＬ、ＳＥＣＡＭ及びＮＴＳＣのサブキャリア周波数に同調設定されるように切り替えることを特徴とするプラズマディスプレイ用チューナの妨害軽減回路。
【発明の詳細な説明】
【０００１】
【発明の属する技術分野】
本発明は、プラズマディスプレイ用チューナの妨害軽減回路に関するものである。
【０００２】
【従来の技術】
プラズマディスプレイは、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイでは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイによってテレビジョン放送を受信し、画像を表示する場合、１台の受信機により、ＰＡＬ方式、ＳＥＣＡＭ方式、ＮＴＳＣ方式それぞれの放送が受信可能なプラズマディスプレイ専用のチューナが用いられる。
【０００５】
図２は具体的な先行技術文献情報はないが、上記プラズマディスプレイ用チューナに用いられる妨害軽減回路を示す回路図であり、図２において、１はＰＡＬ／ＳＥＣＡＭ／ＮＴＳＣのマルチモード・デジタル・コム・フィルター回路であり、このマルチモード・デジタル・コム・フィルター回路１は、ＰＡＬ／ＳＥＣＡＭ／ＮＴＳＣのマルチモード・デジタル・コム・フィルター処理部２とＡ／Ｄ変換器３により構成されている。このＰＡＬ／ＳＥＣＡＭ／ＮＴＳＣのマルチモード・デジタル・コム・フィルター回路１と、クロマ信号入力端子及び輝度信号入力端子との間それぞれには、フィルター回路が設けられている。
【０００６】
マルチモード・デジタル・コム・フィルター回路１とクロマ信号入力端子の間のフィルター回路は、エミッタ・フォロアタイプのトランジスタ４、バイアス用抵抗５、６、プルアップ用抵抗７、フィルター用の抵抗８、コイル９、コンデンサ１０、１１により構成されている。また、マルチモード・デジタル・コム・フィルター回路１と輝度信号入力端子の間のフィルター回路は、エミッタ・フォロアタイプのトランジスタ１２、バイアス用抵抗１３、１４、プルアップ用抵抗１５、フィルター用の抵抗１６、コイル１７、コンデンサ１８、１９により構成されている。
【０００７】
この従来のプラズマディスプレイ用チューナに用いられる妨害軽減回路では、ＰＡＬ／ＳＥＣＡＭ／ＮＴＳＣマルチモードにおいて、ＰＡＬ／ＳＥＣＡＭ／ＮＴＳＣのマルチモード・デジタル・コム・フィルター回路１と、クロマ信号入力端子及び輝度信号入力端子との間のフィルター回路は、ＰＡＬサブキャリア周波数、ＳＥＣＡＭサブキャリア周波数及びＮＴＳＣサブキャリア周波数の中間にフィルター周波数を設定している。
【０００８】
【発明が解決しようとする課題】
しかしながら、上記の従来の構成では、ＰＡＬ／ＳＥＣＡＭ／ＮＴＳＣマルチモードにおいて、フィルター回路は、ＰＡＬサブキャリア周波数、ＳＥＣＡＭサブキャリア周波数及びＮＴＳＣサブキャリア周波数にフィルター周波数を設定していないため、ＰＡＬ／ＳＥＣＡＭ／ＮＴＳＣのマルチモード・デジタル・コム・フィルター回路において、輝度信号出力に与えるＰＡＬのサブキャリア信号入力妨害としてドット妨害が発生する。また、クロマ信号出力に与えるＰＡＬのサブキャリア信号入力妨害として高調波妨害が発生するという課題があった。
【０００９】
本発明はこのような課題を解決し、プラズマディスプレイ用チューナとして、ＰＡＬ／ＳＥＣＡＭ／ＮＴＳＣマルチモードにおける妨害を軽減することを目的とするものである。
【００１０】
【課題を解決するための手段】
上記目的を達成するために本発明は、ＰＡＬ／ＳＥＣＡＭ／ＮＴＳＣのマルチモード・デジタル・コム・フィルター回路と信号入力端子との間にフィルター回路を設け、かつそのフィルター回路に、ＰＡＬ／ＮＴＳＣ制御信号によりオンオフする第１のスイッチング素子とＰＡＬ・ＮＴＳＣ／ＳＥＣＡＭ制御信号によりオンオフする第２のスイッチング素子とを設け、前記第１、第２のスイッチング素子をオンオフすることにより、フィルター回路がＰＡＬ、ＳＥＣＡＭ及びＮＴＳＣのサブキャリア周波数に同調設定されるように切り替えるものである。
【００１１】
【発明の実施の形態】
以下、本発明の一実施の形態によるプラズマディスプレイ用チューナの妨害軽減回路について、図１を用いて説明する。
【００１２】
図１は本発明の一実施の形態によるプラズマディスプレイ用チューナの妨害軽減回路を示す回路図であり、図１において、図２に示す部分と同一部分については同一番号を付している。図１に示すように、ＰＡＬ／ＳＥＣＡＭ／ＮＴＳＣのマルチモード・デジタル・コム・フィルター回路１とクロマ信号入力端子及び輝度信号入力端子との間それぞれには、フィルター回路が設けられている。
【００１３】
マルチモード・デジタル・コム・フィルター回路１とクロマ信号入力端子の間のフィルター回路は、エミッタ・フォロアタイプのトランジスタ２１、バイアス用抵抗２２、２３、プルアップ用抵抗２４、フィルター用の抵抗２５、コイル２６、２７、コンデンサ２８、２９、３０、３１により構成されている。また、マルチモード・デジタル・コム・フィルター回路１と輝度信号入力端子の間のフィルター回路は、エミッタ・フォロアタイプのトランジスタ３２、バイアス用抵抗３３、３４、プルアップ用抵抗３５、フィルター用の抵抗３６、コイル３７、３８、コンデンサ３９、４０、４１、４２により構成されている。
【００１４】
そして、そのそれぞれのフィルター回路には、ＰＡＬ／ＮＴＳＣ制御信号によりオンオフする第１のスイッチング素子としてのトランジスタ４３、４４と、ＰＡＬ・ＮＴＳＣ／ＳＥＣＡＭ制御信号によりオンオフする第２のスイッチング素子としてのトランジスタ４５、４６、４７、４８が設けられており、これらのトランジスタ４３〜４８をオンオフすることにより、フィルター用のコイル２６、２７、３７、３８、コンデンサ２８〜３１、３９〜４２の接続回路が変更されるように構成されており、これによりフィルター回路がＰＡＬサブキャリア周波数、ＳＥＣＡＭサブキャリア周波数及びＮＴＳＣサブキャリア周波数に同調設定されるように切り替えることができる。４９〜５８はトランジスタ４３〜４８に接続したバイアス用及び保護用の抵抗である。
【００１５】
次に、図１に示す回路の動作を説明すると、まずＰＡＬ受像時における輝度信号入力経路のフィルター回路においては、ＰＡＬ／ＮＴＳＣ制御信号によりトランジスタ４４がオフとなり、抵抗、コイル及びコンデンサからなるフィルター部分のフィルター周波数はＰＡＬのサブキャリア周波数に同調し、ＰＡＬのサブキャリア信号入力の妨害を軽減してトランジスタ３２、抵抗３３、３４からなる輝度信号処理回路を経由してマルチモード・デジタル・コム・フィルター回路１に入力される。
【００１６】
一方、クロマ信号入力経路のフィルター回路においては、同じくＰＡＬ／ＮＴＳＣ制御信号によりトランジスタ４３がオフとなり、抵抗、コイル及びコンデンサからなるフィルター部分のフィルター周波数はＰＡＬのサブキャリア高調波妨害周波数に同調し、ＰＡＬのサブキャリア信号入力の高調波妨害周波数を軽減してトランジスタ２１、抵抗２２、２３からなるクロマ信号処理回路を経由してマルチモード・デジタル・コム・フィルター回路１に入力される。
【００１７】
次に、ＮＴＳＣ受像時における輝度信号入力経路のフィルター回路においては、ＰＡＬ／ＮＴＳＣ制御信号によりトランジスタ４４がオンとなり、コイル３８をショートすることにより抵抗、コイル及びコンデンサからなるフィルター部分のフィルター周波数は、ＮＴＳＣのサブキャリア周波数に同調し、ＮＴＳＣのサブキャリア信号入力の妨害を軽減してトランジスタ３２、抵抗３３、３４からなる輝度信号処理回路を経由してマルチモード・デジタル・コム・フィルター回路１に入力される。
【００１８】
一方、クロマ信号入力経路のフィルター回路においては、同じくＰＡＬ／ＮＴＳＣ制御信号によりトランジスタ４３がオンとなり、コイル２７をショートすることにより抵抗、コイル及びコンデンサからなるフィルター部分のフィルター周波数はＮＴＳＣのサブキャリア高調波妨害周波数に同調し、ＮＴＳＣのサブキャリア信号入力の高調波妨害を軽減してトランジスタ２１、抵抗２２、２３からなるクロマ信号処理回路を経由してマルチモード・デジタル・コム・フィルター回路１に入力される。
【００１９】
次に、ＳＥＣＡＭ受像時における輝度信号入力経路のフィルター回路においては、ＰＡＬ／ＮＴＳＣ制御信号によりトランジスタ４４がオフで、ＰＡＬ・ＮＴＳＣ／ＳＥＣＡＭ制御信号によりトランジスタ４７、４８がオンとなり、抵抗、コイル及びコンデンサからなるフィルター部分のフィルター周波数は、ＳＥＣＡＭのサブキャリア周波数に同調し、ＳＥＣＡＭのサブキャリア信号入力の妨害を軽減してトランジスタ３２、抵抗３３、３４からなる輝度信号処理回路を経由してマルチモード・デジタル・コム・フィルター回路１に入力される。
【００２０】
一方、クロマ信号入力経路のフィルター回路においては、同じくＰＡＬ／ＮＴＳＣ制御信号によりトランジスタ４３がオフで、ＰＡＬ・ＮＴＳＣ／ＳＥＣＡＭ制御信号によりトランジスタ４５、４６がオンとなり、抵抗、コイル及びコンデンサからなるフィルター部分のフィルター周波数は、ＳＥＣＡＭのサブキャリアの高調波妨害周波数に同調し、ＳＥＣＡＭのサブキャリア信号入力の高調波妨害を軽減してトランジスタ２１、抵抗２２、２３からなるクロマ信号処理回路を経由してマルチモード・デジタル・コム・フィルター回路１に入力される。
【００２１】
このように本発明によれば、プラズマディスプレイ用チューナにおいて、ＰＡＬ／ＳＥＣＡＭ／ＮＴＳＣのマルチモード・デジタル・コム・フィルター回路に接続したフィルター回路に、ＰＡＬ／ＮＴＳＣ制御信号によりオンオフするスイッチング回路とＰＡＬ・ＮＴＳＣ／ＳＥＣＡＭ制御信号によりオンオフするスイッチング回路とを設け、そのスイッチング回路をオンオフすることにより、フィルター回路がＰＡＬ、ＳＥＣＡＭ及びＮＴＳＣのサブキャリア周波数に同調設定されるように切り替えるため、サブキャリア信号入力妨害、及びサブキャリア信号入力の高調波妨害を軽減することができる。
【００２２】
【発明の効果】
以上の説明から明らかなように、本発明によるプラズマディスプレイ用チューナの妨害軽減回路によれば、ＰＡＬ／ＳＥＣＡＭ／ＮＴＳＣのマルチモードのデジタル・コム・フィルター回路に対するサブキャリア信号入力妨害及びサブキャリア信号入力の高調波妨害を軽減することができるという効果が得られる。
【図面の簡単な説明】
【図１】本発明の一実施の形態によるプラズマディスプレイ用チューナの妨害軽減回路を示す回路図
【図２】従来のプラズマディスプレイ用チューナの妨害軽減回路を示す回路図
【符号の説明】
１　ＰＡＬ／ＳＥＣＡＭ／ＮＴＳＣのマルチモード・デジタル・コム・フィルター回路
２５、３６　抵抗
２６、２７、３７、３８　コイル
２８、２９、３０、３１、３９、４０、４１、４２　コンデンサ
４３、４４、４５、４６、４７、４８　トランジスタ
【図１】
2004129147.tif 000003
【図２】
2004129147.tif 000004